(57)【要約】【課題】鏡体裏面側にセンサーを配設し、電気器具の動作状況に応じてセンサー領域を発光させる発光式センサースイッチ構造において、ＬＥＤを用いて発光面積を広くでき、センサーに静電容量式を使用可能とする。【解決手段】鏡体Ｍのセンサー領域Ｓに設けた光透過部３の裏面側に導光板１２を配設し、導光板１２の側方に投光手段１１を、裏面側にセンサー１３を配置する。センサー１３が表面側の物体を検知すると、投光手段１１が点灯し、導光板１２内へ投射した光を導光板１２内で反射させて光透過部３から表面側へ投射させる。投光手段１１は小型でも広い領域を発光させることが可能なので、ＬＥＤを使用できる。導光板１２は非導電材料で製作できるから、裏面側に配置するセンサー１３を静電容量センサーとすることができる。それ故、鏡体Ｍの表面が多少汚れたとしても物体検知を確実に行える。【選択図】      図２
2004164893.tif 000002
【特許請求の範囲】
【請求項１】
板状部材の裏面側に人体検知用のセンサーを配置して板状部材の一部分にセンサー領域を設け、このセンサー領域を発光させるようになされたスイッチ構造において、センサー領域に光透過部が設けられ、光透過部の裏面側に導光板が配設され、導光板の裏面側にセンサーが配置され、導光板の側方に投光手段が配置され、投光手段により導光板内へ投射した光を導光板内で反射させて光透過部から板状部材表面側へ射出させるように構成されていることを特徴とする発光式センサースイッチ構造。
【請求項２】
前記導光板の裏面部に光反射層を設けた請求項１に記載の発光式センサースイッチ構造。
【請求項３】
前記板状部材における光透過部の裏面部、又は、前記導光板の表面部若しくは裏面部に蛍光層を設けた請求項１又は２に記載の発光式センサースイッチ構造。
【請求項４】
前記光透過部を半透明とした請求項１乃至３のいずれかに記載の発光式センサースイッチ構造。
【請求項５】
前記板状部材はガラス板と銀膜とから成る鏡体であって、当該鏡体における一部分に銀膜の非形成部を設けることにより前記光透過部を形成した請求項１乃至４のいずれかに記載の発光式センサースイッチ構造。
【請求項６】
導光性を有する板状部材の裏面側に人体検知用のセンサーを配置して板状部材の一部分にセンサー領域を設け、このセンサー領域を発光させるようになされたスイッチ構造において、センサー領域の裏面部に光拡散部が形成され、板状部材の側方に投光手段が配置され、投光手段から板状部材内へ投射した光を、光拡散部で散乱させることにより、板状部材表面側へ射出させるように構成されていることを特徴とする発光式センサースイッチ構造。
【請求項７】
導光性を有する板状部材の裏面側に人体検知用のセンサーを配置して板状部材の一部分にセンサー領域を設け、このセンサー領域を発光させるようになされたスイッチ構造において、センサー領域の裏面部に蛍光層が形成され、板状部材の側方に投光手段が配置され、投光手段から板状部材内へ投射した光によって、蛍光層から板状部材表面側へ光を放出させるように構成されていることを特徴とする発光式センサースイッチ構造。
【請求項８】
前記板状部材はガラス板と銀膜とから成る鏡体であって、当該鏡体における銀膜の一部分に前記光拡散部又は蛍光層を形成した請求項６又は７に記載の発光式センサースイッチ構造。
【請求項９】
前記板状部材が鏡体である場合において、銀膜が形成されていない領域又は銀膜に加工を加えた領域に防水処理を施した請求項８に記載の発光式センサースイッチ構造。
【請求項１０】
前記板状部材が鏡体である場合において、当該鏡体は、２枚のガラス板の間に銀膜を密閉した構造である請求項５又は８のいずれかに記載の発光式センサースイッチ構造。
【請求項１１】
前記センサーは、静電容量センサーか、又は、マイクロ波センサー，ミリ波センサー，ドップラー式センサー等の電波式センサーである請求項１乃至１０のいずれかに記載の発光式センサースイッチ構造。
【請求項１２】
前記投光手段は、複数の異なる色を投射し得るものである請求項１乃至１１のいずれかに記載の発光式センサースイッチ構造。
【発明の詳細な説明】
【０００１】
【発明の属する技術分野】
本発明は、例えば洗面化粧台やミラーキャビネット等に備えられる鏡体等の裏面側にセンサーを配設してセンサー領域を設け、このセンサー領域に鏡体の表面側から手指を近づけることにより、防曇ヒータなどの電気器具をＯＮ・ＯＦＦ制御できるように構成されたスイッチ構造であって、センサー領域を所望に応じて発光させることができるようにしたものに関する。
【０００２】
【従来の技術】
化粧室や浴室など水が多く使われる室内環境では、鏡体の防曇ヒータや照明装置などの電気器具のＯＮ・ＯＦＦを制御するスイッチを、人体検知により動作するセンサースイッチとし、これを水のかかりにくい鏡体の裏面側に配置することが提案されている。例えば図１２に示す如く、洗面化粧台Ｋの鏡体Ｍに設けたセンサー領域Ｓに表面側から手指を近づけることで、センサー領域Ｓの裏面側に配設したセンサースイッチを動作させ、防曇ヒータや照明器具をＯＮ・ＯＦＦ制御するものとする。
【０００３】
また、電気器具のＯＮ・ＯＦＦに合わせて鏡体Ｍに設けたセンサー領域Ｓを発光させることにより、電気器具の動作状況を視認し易くすることが考えられ、そのようなセンサースイッチ構造の一例が、特許文献１に記載されている。その構造を図１３を参照して説明すると、鏡体Ｍの一部分に、銀膜２が形成されていないガラス板１だけの部分３０が設けられてセンサー領域Ｓとなされ、その裏面側に、光電式センサーである赤外受発光素子３１と、作動確認用表示灯としてエレクトロルミネセンス発光素子（ＥＬ発光素子）３２とが配置されている。センサー領域Ｓは光透過が可能であるから、指先４０等をセンサー領域Ｓに接近させると、これを赤外受発光素子３１が検知し、防曇ヒータ等をＯＮ動作させる。それと同時に、ＥＬ発光素子３２を点灯させて、防曇ヒータ等がＯＮ動作中であることを視認できるよう表示する。上記ＯＮ動作中に、再度、指先４０等をセンサー領域Ｓに接近させれば、これを赤外受発光素子３１が検知して防曇ヒータ等の動作を停止させ、同時にＥＬ発光素子３２を消灯させる。これにより、防曇ヒータ等が動作停止中であることが視認可能に表示される。従って特許文献１に記載されたセンサースイッチ構造は、非接触でスイッチを作動させることができると共に、防曇ヒータのＯＮ・ＯＦＦ状態を視覚的に確認できるという効果を発揮するとされている。
【０００４】
【特許文献１】
実開平６−２９４６３号公報
【０００５】
【発明が解決しようとする課題】
前記特許文献１のセンサースイッチ構造は、センサー領域Ｓに接近する手指を検出するのに光電式センサーである赤外受発光素子３１を採用しているが、光電式センサーは、センサー領域Ｓにおけるガラス板１表面の汚れによって検出感度が低下するという欠点を有している。
【０００６】
そこでセンサーを、表面側の汚れに影響されにくい静電容量式に置き換えることが考えられるが、静電容量センサーは物体検知部分に比較的広い面積が必要である。従って前記従来例のように、発光領域を広くするためＥＬ発光素子を広範囲に配置した場合、静電容量センサーを、ＥＬ発光素子３２の裏面側へ配置せねばならなくなる。しかるにＥＬ発光素子３２の電極は導電性であるため、ＥＬ発光素子３２を介して静電容量の変化を正確に検知するのは困難である。すなわち前記従来例の構造は、静電容量センサーを採用することが出来なかった。
【０００７】
【課題を解決するための手段】
前記従来の問題を解決するため、本発明者らは以下に述べるような発光式センサースイッチ構造を創案した。まず、請求項１に係る発光式センサースイッチ構造の特徴とするところは、板状部材の裏面側に人体検知用のセンサーを配置して板状部材の一部分にセンサー領域を設け、このセンサー領域を発光させるようになされたスイッチ構造において、センサー領域に光透過部を設け、光透過部の裏面側に導光板を配設し、導光板の裏面側にセンサーを配置し、導光板の側方に投光手段を配置し、投光手段により導光板内へ投射した光を導光板内で反射させて光透過部から板状部材表面側へ射出させるように構成したことである。
【０００８】
前記発光式センサースイッチ構造は、導光板の側方に配置した投光手段から投射した光を、導光板内部で反射させることにより、光透過部から板状部材の表面側へ射出し発光させる。かかる構成に基づき、本発明は、投光手段が比較的小さな光源でも広い領域を発光させることが可能となるから、例えば発光ダイオード素子（ＬＥＤ）を使用できる。また投光手段が導光板の側方に配置され、導光板を非導電材料で製作することができるから、静電遮蔽の効果を生じさせない。それ故、導光板の裏面側領域に配置されるセンサーに、静電容量センサーを採用できる。そして静電容量センサーを採用することにより、センサー領域において板状部材の表面が多少汚れたとしても、検知感度の低下をもたらさないから、板状部材表面側の人体検知を確実に行えるという利点が得られる。
【０００９】
前記発光式センサースイッチ構造において、導光板の裏面部に光反射層を設けてもよい。これにより、側方から投射した光の反射効率が向上すると同時に、裏面側に配置したセンサーが表面側から観察されにくくなり美観性が向上するという利点が得られる。光反射層は、銀膜のほか、白色又は有色のシートやコーティングが考えられる。
【００１０】
前記光反射層に代えて、蛍光層を設けることも考えられる。この場合、蛍光層は、板状部材における光透過部の裏面部、又は、導光板の表面部若しくは裏面部に形成することが可能である。蛍光層は、側方の投光手段から投射した光によって発光する。
【００１１】
前記構造において、板状部材の光透過部は発光状態を視認できればよいから、透明とする以外に、凹凸加工や粗面化加工等を施して、ある程度の透光性を有する半透明としてもよい。また有色でも無色でもよい。光透過部以外の部分については特に制限はなく、遮光性の有る不透明なもの、半透明なもの、光反射性を持つもの、さらには透明なものであってもよい。なお、前記光透過部を半透明化した場合は、裏面側に配置したセンサーが表面側から観察されにくくなるので、美観性が向上するという利点が得られる。
【００１２】
本発明に係る発光式センサースイッチ構造は、例えば洗面化粧台やミラーキャビネットにおける、ガラス板と銀膜とから成る鏡体に適用される。この場合、鏡体の一部に銀膜の非形成部を設けることによって、光透過部を形成することができる。
【００１３】
本発明の発光式センサースイッチ構造は、次のような構造も可能である。すなわち請求項６に記載の如く、導光性を有する板状部材の裏面側に人体検知用のセンサーを配置して板状部材の一部分にセンサー領域を設け、このセンサー領域を発光させるようになされたスイッチ構造において、センサー領域の裏面部に光拡散部を形成し、板状部材の側方に投光手段を配置し、投光手段から板状部材内へ投射した光を、光拡散部で散乱させることにより、板状部材表面側へ射出させるように構成する。
【００１４】
あるいは請求項７に記載の如く、導光性を有する板状部材の裏面側に人体検知用のセンサーを配置して板状部材の一部分にセンサー領域を設け、このセンサー領域を発光させるようになされたスイッチ構造において、センサー領域の裏面部に蛍光層を形成し、板状部材の側方に投光手段を配置し、投光手段から板状部材内へ投射した光によって、蛍光層から板状部材表面側へ光を放出させるように構成する。
【００１５】
請求項６又は７に記載した発光式センサースイッチ構造は、いずれも板状部材を導光板として利用するものであるから、請求項１の導光板を省略できる。
【００１６】
請求項６に記載の発光式センサースイッチ構造において、板状部材をガラス板と銀膜とから成る鏡体とする場合、鏡体裏面の銀膜の一部分を加工することにより光拡散部を形成する。ここで言う加工とは、ブラスト加工、シボ加工、エッチング加工などが考えられる。また請求項７に記載の発光式センサースイッチ構造にあっては、銀膜の一部を除去して、蛍光層を形成する。
【００１７】
ところで、前記板状部材が鏡体である場合において、銀膜が形成されていない領域又は銀膜に加工を加えた領域には、防水処理を施すことが望ましい。あるいは、鏡体を２枚のガラス板の間に銀膜を密閉した構造として、防水性を確保するようにしてもよい。
【００１８】
なお人体検知用のセンサーとしては、静電容量センサー，ドップラー式センサー，マイクロ波センサー，ミリ波センサー等の電波式センサーを用いることが考えられる。これらは非光電式なので、板状部材の表面側が多少汚れたとしても、検知感度がそれほど低下することがない。
【００１９】
さらに投光手段については、複数の異なる色の光を投射し得る光源を採用することが可能である。
【００２０】
【発明の実施の形態】
［第１の実施形態］
本発明に係るセンサースイッチ構造は、洗面化粧台、浴室のミラーキャビネット、居室の鏡台やドレッサー等への適用が考えられる。例えば図１に示す洗面化粧台Ｋでは、鏡体Ｍの適所に設定したセンサー領域Ｓの裏面側に、センサースイッチ１０（図２参照）を設け、センサー領域Ｓに手指を接近又は接触させることにより、鏡体Ｍの裏面又は内部に配設した防曇ヒータＨ・鏡体Ｍ上部の照明装置Ｌ・換気扇・ラジオ等の各種電気器具を動作或いは停止させると共に、これら電気器具の動作状況に応じ、センサー領域Ｓを発光又は変色させるようになされている。
【００２１】
図２に例示するように、本例におけるセンサースイッチ１０は、ガラス板１と銀膜２とから成る鏡体Ｍにおけるセンサー領域Ｓの裏面側に配設される投光手段１１、導光板１２、センサー１３と、適所に設けられる制御回路Ｃとから成る。なお制御回路Ｃは、照明装置のケース又はハウジング内に収納させることが可能である。鏡体Ｍにおけるセンサー領域Ｓに銀膜２の形成されていない部分を設けて光透過部３と成し、この光透過部３の裏面側を覆うように導光板１２を配置する。光透過部３に臨むガラス板１には、所望によりブラスト加工等の粗面化処理を施して、光を散乱させるようにしてもよい。
【００２２】
導光板１２の材質は、ガラス・プラスチック・鉱物（石英や水晶）などの、非導電性であって、透光性に優れ且つ比較的屈折率の高い部材が用いられる。そして、この導光板１２の側方に、例えばＬＥＤから成る投光手段１１を配置すると共に、導光板１２の裏面側にセンサー１３を配置する。
【００２３】
導光板１２は非導電性にできるから、センサー１３には静電容量センサーを使用することができる。またドップラー式センサー、ミリ波センサーやマイクロ波センサー等の電波式センサーなどの非光電式センサーも使用可能である。これらの非光電式センサーは、鏡体Ｍの表面に多少の汚れが有っても検知感度があまり低下しないから、タッチセンサーとして利用するのに好適である。
【００２４】
前記の如く構成された発光式センサースイッチ構造は、人体検知に基づく電気器具の動作制御と、センサー領域Ｓの発光動作とを行うものである。電気器具の動作と発光動作とは、連関させてもよく独立させてもよい。前記発光式センサースイッチ構造の動作態様の一例を示せば、次の如くである。使用者が鏡体Ｍの表面側から手指をセンサー領域Ｓに接近させるか又は接触させると、これをセンサー１３が検出して検知信号を制御回路Ｃへ出力する。センサー１３に静電容量式のものを使用すれば、鏡体Ｍ表面が多少汚れていても検知が確実である。制御回路Ｃは、検知信号を受けて防曇ヒータ等の電気器具をＯＮ動作させると同時に、投光手段１１にもＯＮ動作信号を出力する。これにより、投光手段１１が発光して導光板１２内へ光を投射し、投射光は導光板１２の表面で反射され、光透過部３からガラス板１を通過して鏡体Ｍの表面側へ射出される。これにより、センサー領域Ｓの発光状態が得られる。引き続き再度、手指をセンサー領域Ｓに接近させるか又は接触させると、センサー１３から制御回路Ｃへ検知信号が出力されることにより、防曇ヒータ等を停止させると同時に、投光手段１１にもＯＦＦ動作信号を出力し投光手段１１を消灯させる。
【００２５】
前述の発光式センサースイッチ構造は、防曇ヒータ等の電気器具が動作中のときは同時にセンサー領域Ｓを発光させ、電気器具が停止中のときはセンサー領域Ｓを消灯させるようになしたから、使用者は、電気器具のＯＮ・ＯＦＦ状態を一瞥するだけで容易に確認できる。特に防曇ヒータの如く、それ自体では動作状況の把握が困難なものに対し有効である。また、投射光を導光板１２で拡散させる構成としたから、小さい光源でも広い範囲を発光させることが可能であり、依って投光手段１１に、動作電力が小さく安価なＬＥＤを採用することができる。さらに、発光面積を広くできることによって、電気器具の動作状況の視認が容易となる。
【００２６】
防曇ヒータと照明装置などの如く二種以上の電気器具をセンサースイッチ１０によってＯＮ・ＯＦＦ制御する場合、投光手段１１に投射光の色を変更できる機能を持たせ、使用者が手指をセンサー領域Ｓへ向かって差し出したり引っ込めたりすることで、制御する電気器具を切り替えると同時に、センサー領域Ｓの発色を異ならせるようにすれば、動作状況の把握が一層容易になる。例えば、センサースイッチ１０による手指の検知が一度目のときは、まず照明装置をＯＮ動作させると同時に、センサー領域Ｓを例えば緑に発光させる。続いて二度目の検知をすると防曇ヒータをＯＮ動作させると同時に、センサー領域Ｓを例えば赤色に発光させる。最後に三度目の検知が行われると、照明装置及び防曇ヒータ両方をＯＦＦにすると同時に、センサー領域Ｓを消灯させるという制御方式が考えられる。このとき使用する投光手段１１としては、三色ＬＥＤや、単色ＬＥＤを複数個組み合わせたものなど挙げられる。
【００２７】
なお本発明の発光式センサースイッチ構造は、投光手段１１に動作電力が小さく発熱の少ないＬＥＤを使用できるから、センサー領域Ｓの発光動作を、前記と反対にすることも考えられる。すなわち、電気器具の停止時である初期状態ではセンサー領域Ｓを発光させ、電気器具が動作中のときにはセンサー領域Ｓを消灯させる。さらには、電気器具の動作状況に関わりなく投光手段１１を常時点灯させ、センサー領域Ｓを発光状態に維持する態様も採用可能である。これらの態様は、夜間消灯後の室内が暗い状態でも、鏡体Ｍ上のセンサー領域Ｓの位置を容易且つ的確に視認できるという効果が発揮される。
【００２８】
［第２の実施形態］
図３は、防曇ヒータと照明装置など二種以上の電気器具を制御対象とする場合において、それぞれの動作状況を明示できるように構成した発光式センサースイッチ構造を示すものである。本例では、センサースイッチ１０の制御対象が例えば照明装置と防曇ヒータとである場合、図４に示す如く、鏡体Ｍのセンサー領域Ｓに、「照明」及び「曇り止め」と上下に表示した光透過部４，５を設け、各光透過部４，５に対応させて鏡体Ｍの裏面側に、ＬＥＤ等の投光手段１４，１５及び導光板１６，１７をそれぞれ上下に配置する。センサー１８は、二つの導光板１６，１７に跨って配置できるよう、やや長尺のものを使用する。
【００２９】
本例の発光式センサースイッチ構造は、センサー領域Ｓに対し使用者が手指を接近又は接触させる回数によって、電気器具の動作状態が切り替わるように設定されている。電気器具が動作していない初期状態では、図４の（Ａ）の如く、センサー領域Ｓの光透過部４，５は消灯状態である。使用者がセンサー領域Ｓへ最初に手指を延ばしたときは、センサースイッチ１０がこれを検知して、まず照明装置をＯＮ動作させると同時に、上側の投光手段１４を点灯させて、同図（Ｂ）のように、上側の光透過部４のみを発光させる。続いて、手指をセンサー領域Ｓに再度差し伸べて二度目の検知が行われると、防曇ヒータをＯＮ動作させると同時に下側の投光手段１４を点灯させて、同図（Ｃ）のように上下の光透過部４，５両方が発光した状態となる。さらにもう一度手指を接近させ、三度目の検知が行われれば、今度は照明装置をＯＦＦ動作させると同時に、上側の投光手段１４だけを消灯させて、同図（Ｄ）の如く下側の光透過部５のみ発光させた状態とする。最後にもう一度手指を接近させ、四度目の検知を行わせれば、照明装置及び防曇ヒータ両方がＯＦＦとなると同時に、すべての投光手段１４，１５がＯＦＦにまり、上下の光透過部４，５両方が消灯した同図（Ａ）の初期状態に戻る。
【００３０】
本例構造において、投光手段１１の動作と電気器具の動作との対応関係を、前記と反対に設定することも可能である。すなわち初期状態では、図５（Ａ）の如く、センサー領域Ｓの光透過部４，５両方を発光状態とし、使用者が手指を延ばして照明装置をＯＮ動作させると、同図（Ｂ）のように上側の光透過部４のみ消灯させる。続いて防曇ヒータをＯＮ動作させると、同図（Ｃ）のように上下の光透過部４，５両方を消灯させた状態とする。引き続き照明装置をＯＦＦ動作させると、同図（Ｄ）の如く上側の光透過部４のみ発光させ、最後に照明装置及び防曇ヒータ両方をＯＦＦにすると同時に、上下の光透過部４，５両方を発光させた同図（Ａ）の初期状態に戻る。
【００３１】
なお、本例のように複数の光透過部４，５を形成した場合は、複数の光透過部４，５それぞれに対応する投光手段１４．１５の投射光の色を異ならせて、各光透過部４，５が異なる発色を行うようにしてもよい。さらに、電気器具の動作状況の切替に合わせて光透過部４，５を変色させる構成、例えば、電気器具のＯＮ動作時は緑、ＯＦＦ動作時は赤に発色させるという態様も可能である。
【００３２】
［第３の実施形態］
図６は、二種以上の電気器具を制御対象とする場合において、各電気器具のＯＮ・ＯＦＦを個別に制御できると共に、それぞれの動作状況を明示できるように構成した発光式センサースイッチ構造を示すものである。本例では、二つの電気器具を個別に制御するため、センサー領域Ｓの上下に二個のセンサー１３，１３を配置すると共に、各電気器具の動作状況を個別に表示するため、ＬＥＤ等の投光手段１４，１５及び導光板１６，１７をそれぞれセンサー領域Ｓの裏面側において上下に配置するものとした。なお、鏡体Ｍの光透過部には、適当な表示を付しておくことが望ましい。
【００３３】
かかる構成の発光式センサースイッチ構造は、使用者がセンサー領域Ｓの上下いずれか一方に手指を接近又は接触させることで、各電気器具のＯＮ・ＯＦＦ動作を個別に制御することができると共に、その電気器具の動作に合わせて光透過部を個別に点灯・消灯させることができる。
【００３４】
［第４の実施形態］
前述の実施形態に示す如く、導光板１３の側方から投光手段１１より投射した光を、導光板１３内で反射させることにより、鏡体Ｍの表面側を発光させるようになされたものにおいては、図７に示すように、導光板１３の裏面側に銀膜、白色又は有色のシートあるいはコーティング等よりなる光反射層１９を設けて、投射光の反射効率を向上させてもよい。光反射層１９は、鏡体Ｍの裏面に配置したセンサー１３を視覚的に覆い隠すから、美観性の向上をもたらすという利点も得られる。また、投光手段１１からの投射光を有色とした場合、点灯時と消灯時とで、光透過部３を通して観察される光反射層１９の色調が異なるから、視認性・意匠性が向上する。
【００３５】
［第５の実施形態］
図８に示すように、導光板１３の表面側に蛍光層２０を設け、投射光によって蛍光層を発光させる構成も考えられる。なお蛍光層２０は、導光板１２の裏面側や、光透過部３におけるガラス板１の裏面部に形成することも可能である。蛍光層２０はセンサー１３を視覚的に覆い隠すので、美観性の向上がもたらされる。また、投光手段１１からの投射光によって蛍光層２０の発色を変化させて、意匠性が高めることも可能である。
【００３６】
［第６の実施形態］
図９は、鏡体Ｍのガラス板１を導光板として利用する発光式センサースイッチ構造の一実施形態を示すものである。本例では、鏡体Ｍにおけるガラス板１の側方にＬＥＤ等の投光手段１１，１１を配置すると共に、鏡体Ｍにおけるセンサー領域Ｓにあっては、裏面側にブラスト加工等を施すことにより、粗面化された光拡散部６を形成し、この光拡散部６の裏面側にセンサー１３を配置するものとした。かかる構成により、センサー１３からの検知信号に基づく防曇ヒータ等の電気器具の動作と連動させて、投光手段１１から鏡体Ｍのガラス板１内へ光を投射すると、投射光は粗面化された光拡散部６で乱反射する。従って、鏡体Ｍの表面側から見ると、光拡散部６が発光したように観察される。
【００３７】
このように、本例の発光式センサースイッチ構造にあっても、電気器具のＯＮ・ＯＦＦ動作と連動させて、センサー領域Ｓを発光・消灯させることができ、しかも光拡散部６を発光させるのに、ＬＥＤ等の小型の光源を使用することができる。また光拡散部６は、粗面化により半透明又は不透明にできるから、裏面側に配設したセンサー１３が視覚的に覆い隠され、美観性を損なうことがない。
【００３８】
［第７の実施形態］
図１０に示す発光式センサースイッチ構造のように、鏡体Ｍのガラス板１を導光板として利用する場合、鏡体Ｍにおけるセンサー領域Ｓの裏面側の一部に銀膜２の無い領域を形成し、この部分に蛍光層２０を設けることも可能である。かかる構成により、投光手段１１から鏡体Ｍのガラス板１内へ投射された光により、蛍光層２０を発光させることができる。
【００３９】
［第８の実施形態］
鏡体Ｍの裏面側において、ブラスト加工により銀膜２の一部を除去したり、或いは、あらかじめ所定箇所に銀膜の非形成部分を設けたりして光拡散部６を形成する場合、銀膜のない箇所から湿気が侵入するのを防止するため、図１１に示す如く、防水シート７を貼着する等の防水処理を、鏡体Ｍ裏面に施すことが望ましい。また鏡体Ｍを、図１２に示すような、二枚のガラス板１，８の間に銀膜２を挟んだ構造として、光拡散部６を防水処理することができる。なお、第１〜５の実施形態では、光透過部３の裏面側に導光板を水密的に配置することで所要の防水性能が発揮されるから、防水処理は不要である。
【００４０】
【その他の実施形態】
本発明は、鏡体のほか、ガラス質のタイルに応用することが考えられる。その他、実施の状況に応じた適宜の変更を妨げない。
【００４１】
【発明の効果】
本発明の発光式センサースイッチ構造は、鏡体等の板状部材における一部分を光透過部を有するセンサー領域となし、電気器具の動作状況に合わせてセンサー領域を発光・消灯させるように成したものにおいて、板状部材の裏面側に配設した導光板の側方から投光手段で光を投射し、この光を導光板内で反射させて光透過部から板状部材表面側へ投射させるように構成したので、小型の投光手段で広い範囲を発光させることが可能である。依って、投光手段にＬＥＤ等の小型で消費電力の少ないものを利用して、視認性に優れたセンサースイッチ構造を提供することができる。
【００４２】
前記発光式センサースイッチ構造において、前記光透過部を半透明とした場合は、裏面側に配置したセンサーを視覚的に覆い隠せるから、美観性が向上する。前記導光板の裏面側に光反射層や蛍光層を設けた場合は発色効率が高まるから、発光時の視認性が向上すると共に、裏面側のセンサーを覆い隠して、美観性を向上させる。
【００４３】
また、本発明に係る発光式センサースイッチ構造を、導光性を有する板状部材の裏面側に光拡散部又は蛍光層を形成し、この板状部材の側方に配置した投光手段から投射した光を前記光拡散部又は蛍光層で散乱させて表面側へ投射させることにより、センサー領域を発光させるように構成した場合は、板状部材が導光板の機能を果たすから、導光板を省略することができる。
【００４４】
前記発光式センサースイッチ構造において、前記センサーに、静電容量センサー，ドップラー式センサー，マイクロ波センサー，ミリ波センサー等の電波式センサーを採用することにより、板状部材の表面が多少汚れていても検知感度が低下することがないから、検知が確実である。
【００４５】
さらに、投光手段を複数の異なる色を投射し得るものとした場合は、電気器具の動作状況に応じてセンサー領域の発光色を変化させることが可能なので、電気器具の動作状況の把握が一層容易になる。
【図面の簡単な説明】
【図１】本発明の第１実施形態に関するものであって、発光式センサースイッチ構造が鏡体に設けられた洗面化粧台の正面図である。
【図２】本発明の第１実施形態に関するものであって、図（Ａ）は鏡体に設けた発光式センサースイッチ構造の平面断面図、図（Ｂ）は同発光式センサースイッチ構造の背面図である。
【図３】本発明の第２実施形態に関するものであって、鏡体に設けた発光式センサースイッチ構造の背面図である。
【図４】本発明の第２実施形態に関するものであって、発光式センサースイッチ構造におけるセンサー領域の発光状態が、電気器具の動作状況に応じて変化する様子を説明する正面図である。
【図５】本発明の第２実施形態の異なる例に関するものであって、発光式センサースイッチ構造におけるセンサー領域の発光状態が、電気器具の動作状況に応じて変化する様子を説明する正面図である。
【図６】本発明の第３実施形態に関するものであって、鏡体に設けた発光式センサースイッチ構造の背面図である。
【図７】本発明の第４実施形態に関するものであって、鏡体に設けた発光式センサースイッチ構造の平面断面図である。
【図８】本発明の第５実施形態に関するものであって、鏡体に設けた発光式センサースイッチ構造の平面断面図である。
【図９】本発明の第６実施形態に関するものであって、図（Ａ）は鏡体に設けた発光式センサースイッチ構造の一部省略した平面断面図、図（Ｂ）は同発光式センサースイッチ構造の一部省略した背面図である。
【図１０】本発明の第７実施形態に関するものであって、発光式センサースイッチ構造の要部を示す平面断面図である。
【図１１】本発明の第８実施形態に関するものであって、図（Ａ）は鏡体に設けた発光式センサースイッチ構造の一部省略した平面断面図、図（Ｂ）は同発光式センサースイッチ構造の一部省略した背面図である。
【図１２】本発明の第８実施形態の異なる態様を示すものであって、鏡体に設けた発光式センサースイッチ構造の平面断面図である。
【図１３】従来例に関するものであって、発光式センサースイッチ構造が鏡体に設けられた洗面化粧台を示す斜視図である。
【図１４】特許文献１に記載された従来の発光式センサースイッチ構造を示す側面断面図である。
【符号の説明】
１…ガラス板  ２…銀膜  ３，４，５…光透過部  ６…光拡散部  ７…防水シート  ８…ガラス板  １０…発光式センサースイッチ  １１…投光手段  １２…導光板  １３…センサー  １４，１５…投光手段  １６，１７…導光板  １８…センサー  １９…光反射層  ２０…蛍光層  Ｍ…鏡体  Ｃ…制御回路  Ｓ…センサー領域  Ｈ…防曇ヒータ  Ｌ…照明装置  Ｋ…洗面化粧台
【図１】
2004164893.tif 000003
【図２】
2004164893.tif 000004
【図３】
2004164893.tif 000005
【図４】
2004164893.tif 000006
【図５】
2004164893.tif 000007
【図６】
2004164893.tif 000008
【図７】
2004164893.tif 000009
【図８】
2004164893.tif 000010
【図９】
2004164893.tif 000011
【図１０】
2004164893.tif 000012
【図１１】
2004164893.tif 000013
【図１２】
2004164893.tif 000014
【図１３】
2004164893.tif 000015
【図１４】
2004164893.tif 000016